(57)【要約】【課題】記録装置の後処理ユニットを筐体の隅角部に設置することにより、ユーザーの利便性を向上させる。【解決手段】記録装置は、用紙に記録を行う記録部と、前記記録部に供給する前記用紙を格納する給紙カセットと、排紙された前記用紙を堆積可能な排紙トレイと、各種設定が可能な操作パネルと、前記記録部を収容する筐体と、記録された前記用紙に対して後処理を行う後処理部本体を有する後処理ユニットと、を備え、前記筐体において、前記給紙カセットが装着される面、前記排紙トレイが装着される面、前記操作パネルが装着される面のいずれか面を正面として正面視した場合に、前記後処理ユニットは、前記正面における前記筐体の隅角部に設置される。【選択図】図１
2020192762.tif 000002
【特許請求の範囲】
【請求項１】
用紙に記録を行う記録部と、
前記記録部に供給する前記用紙を格納する給紙カセットと、
排紙された前記用紙を堆積可能な排紙トレイと、
各種設定が可能な操作パネルと、
前記記録部を収容する筐体と、
記録された前記用紙に対して後処理を行う後処理部本体を有する後処理ユニットと、を備え、
前記筐体において、前記給紙カセットが装着される面、前記排紙トレイが装着される面、前記操作パネルが装着される面のいずれかの面を正面として正面視した場合に、
前記後処理ユニットは、前記正面における前記筐体の隅角部に設置されることを特徴とする記録装置。
【請求項２】
請求項１に記載の記録装置であって、
前記後処理ユニットは、前記用紙の一部を挿入可能なスリット状の挿入部を有し、
前記挿入部は、前記筐体に対して斜め方向に配置されることを特徴とする記録装置。
【請求項３】
請求項１または請求項２に記載の記録装置であって、
正面視した場合に、前記後処理ユニットは、前記給紙カセットの側方に並んで配置されることを特徴とする記録装置。
【請求項４】
請求項１から請求項３のいずれか一項に記載の記録装置であって、
正面視した場合に、前記後処理ユニットは、前記排紙トレイの側方に並んで配置されることを特徴とする記録装置。
【請求項５】
請求項４に記載の記録装置であって、
正面視した場合に、前記後処理ユニットは、前記排紙トレイに対して右側方向の前記隅角部に設置されることを特徴とする記録装置。
【請求項６】
請求項５に記載の記録装置であって、
前記排紙トレイの先端部は、前記排紙トレイが配置された前記筐体の第１面から外方に突出しており、
前記排紙トレイを上方から見た場合における、前記排紙トレイの前記先端部の前記第１面に沿った方向における第１仮想線と、
前記排紙トレイを前記上方から見た場合における、前記筐体の前記第１面と交差し、前記排紙トレイの前記右側方向の前記隅角部を構成する前記筐体の第２面に沿った第２仮想線と、を結んだ線を外装寸法線とした場合、
前記後処理ユニットは、前記外装寸法線から外側にはみ出さないように配置されることを特徴とする記録装置。
【請求項７】
請求項１から請求項６のいずれか一項に記載の記録装置であって、
前記後処理ユニットは、
前記後処理部本体に接続され、前記後処理部本体を覆うカバーと、
前記カバーの上方に設けられ、前記カバーと軸部を介して設置された庇部と、を備え、
前記カバーは、前記庇部に対して前記軸部を介して回動可能であることを特徴とする記録装置。
【請求項８】
請求項７に記載の記録装置であって、
前記カバーの色と前記庇部の色とが異なることを特徴とする記録装置。
【請求項９】
請求項７または請求項８に記載の記録装置であって、
前記カバーに凸部が形成されたことを特徴とする記録装置。
【請求項１０】
請求項１から請求項９のいずれか一項に記載の記録装置であって、
前記後処理ユニットは、装填された針を用いて前記用紙を綴じる処理機能を有するステイプルユニットであり、
前記操作パネルは、前記ステイプルユニットに装填された前記針の残数を表示することを特徴とする記録装置。
【発明の詳細な説明】
【技術分野】
【０００１】
本発明は、記録装置に関する。
【背景技術】
【０００２】
従来、例えば、特許文献１に示すように、ステイプルユニットを備えた画像形成装置が知られている。
【先行技術文献】
【特許文献】
【０００３】
【特許文献１】特開２０１８−８４６２８号公報
【発明の概要】
【発明が解決しようとする課題】
【０００４】
しかしながら、上記装置のステイプルユニットは、操作パネルが配置される装置の正面に対して装置の側面に設置される。このため、ステイプル作業時に、ユーザーは装置の側面側に身を乗り出して綴じ位置を確認する必要が生じ利便性に欠ける、という課題があった。
【課題を解決するための手段】
【０００５】
記録装置は、用紙に記録を行う記録部と、前記記録部に供給する前記用紙を格納する給紙カセットと、排紙された前記用紙を堆積可能な排紙トレイと、各種設定が可能な操作パネルと、前記記録部を収容する筐体と、記録された前記用紙に対して後処理を行う後処理部本体を有する後処理ユニットと、を備え、前記筐体において、前記給紙カセットが装着される面、前記排紙トレイが装着される面、前記操作パネルが装着される面のいずれか面を正面として正面視した場合に、前記後処理ユニットは、前記正面における前記筐体の隅角部に設置されることを特徴とする。
【０００６】
上記記録装置の前記後処理ユニットは、前記用紙の一部を挿入可能なスリット状の挿入部を有し、前記挿入部は、前記筐体に対して斜め方向に配置されることが好ましい。
【０００７】
上記記録装置は、正面視した場合に、前記後処理ユニットは、前記給紙カセットの側方に並んで配置されることが好ましい。
【０００８】
上記記録装置は、正面視した場合に、前記後処理ユニットは、前記排紙トレイの側方に並んで配置されることが好ましい。
【０００９】
上記記録装置では、正面視した場合に、前記後処理ユニットは、前記排紙トレイに対して右側方向の前記隅角部に設置されることが好ましい。
【００１０】
上記記録装置では、前記排紙トレイの先端部は、前記排紙トレイが配置された前記筐体の第１面から外方に突出しており、前記排紙トレイを上方から見た場合における、前記排紙トレイの前記先端部の前記第１面に沿った方向における第１仮想線と、前記排紙トレイを前記上方から見た場合における、前記筐体の前記第１面と交差し、前記排紙トレイの前記右側方向の前記隅角部を構成する前記筐体の第２面に沿った第２仮想線と、を結んだ線を外装寸法線とした場合、前記後処理ユニットは、前記外装寸法線から外側にはみ出さないように配置されることが好ましい。
【００１１】
上記記録装置の前記後処理ユニットは、前記後処理部本体に接続され、前記後処理部本体を覆うカバーと、前記カバーの上方に設けられ、前記カバーと軸部を介して設置された庇部と、を備え、前記カバーは、前記庇部に対して前記軸部を介して回動可能であることが好ましい。
【００１２】
上記記録装置では、前記カバーの色と前記庇部の色とが異なることが好ましい。
【００１３】
上記記録装置では、前記カバーに凸部が形成されたことが好ましい。
【００１４】
上記記録装置は、前記後処理ユニットは、装填された針を用いて前記用紙を綴じる処理機能を有するステイプルユニットであり、前記操作パネルは、前記ステイプルユニットに装填された前記針の残数を表示することが好ましい。
【図面の簡単な説明】
【００１５】
【図１】第１実施形態にかかる記録装置の構成を示す斜視図。
【図２】第１実施形態にかかる記録装置の構成を示す正面図。
【図３】第１実施形態にかかる記録装置の一部構成を示す拡大図。
【図４】第１実施形態にかかる記録装置の構成を示す平面図。
【図５】第１実施形態にかかる後処理部本体の開き状態を示す平面図。
【図６】第２実施形態にかかる記録装置の構成を示す正面図。
【図７】第３実施形態にかかる記録装置の構成を示す正面図。
【発明を実施するための形態】
【００１６】
１．第１実施形態
図１は、記録装置１の構成を示す斜視図であり、図２は、記録装置１の構成を示す正面図であり、記録装置１を正面視した場合の図である。図３は、記録装置１の一部構成を示す拡大図であり、図４は、記録装置１の構成を示す平面図である。図５は、後処理部本体としてのステイプル本体３１の開き状態を示す平面図である。
【００１７】
記録装置１は、例えば、液体としてのインクを媒体としての用紙Ｐに吐出して記録を行うインクジェットプリンターである。図１に示すように、記録装置１は、記録部としての記録ユニット２と、記録ユニット２を収容する筐体１１と、を備える。筐体１１は略直方体状を成す。筐体１１の＋Ｙ方向側の面は前方面１１ａであり、筐体１１の−Ｙ方向側の面は後方面１１ｂである。また、筐体１１の−Ｘ方向側の面は第１側面１１ｃであり、筐体１１の＋Ｘ方向側の面は第２側面１１ｄである。
【００１８】
記録ユニット２は、用紙Ｐに記録を行う記録ヘッド１０とキャリッジ２７とを含む。記録ヘッド１０の下方に位置するヘッド面には、Ｙ軸に沿って複数のノズルが等間隔で配置される。記録ヘッド１０は、Ｘ軸に沿って往復移動可能なキャリッジ２７に搭載されており、Ｘ軸に沿って移動しながらノズルからインクを用紙Ｐに吐出して記録を行う。用紙Ｐは、例えば、普通紙の他、薄紙、厚紙、写真用紙のようなコート紙等である。
【００１９】
筐体１１上には原稿読取装置１４が配置される。原稿読取装置１４は、読取用の原稿が載置される透明なガラス等からなる水平な原稿載置面と、その原稿載置面を覆うことが可能な蓋部１６とを備える。蓋部１６は、ＡＤＦ（Auto  Document  Feeder）を備え、用紙Ｐを給紙するための給紙口１６ａが設けられる。給紙口１６ａから用紙Ｐを供給することで容易にコピーや読み取り処理等を行うことができる。
【００２０】
記録装置１の前方面１１ａの上部には、記録装置１を操作するための操作部５が設けられる。操作部５は、Ｘ軸に沿った方向が長手方向となる横長のパネルであり、記録装置１をオン又はオフする際に操作される電源ボタン５ａや各種の操作情報を入力する際に操作される操作ボタン５ｂや各種設定が可能な操作パネル１５が設けられる。操作パネル１５は、表示可能であり、例えば、液晶パネルである。
【００２１】
記録装置１の下部には液体格納ユニット３が配置される。液体格納ユニット３には、記録ヘッド１０に供給するインクを収容した不図示の液体収容体が格納される。インクは、液体格納ユニット３に格納された液体収容体から不図示のチューブを介して記録ヘッド１０に供給される。
【００２２】
記録装置１の−Ｙ方向となる後方側には、用紙Ｐをセット可能な用紙セット部８が配置される。用紙セット部８にセットされた用紙Ｐは、搬送ローラー等から構成される用紙搬送部によって記録ヘッド１０側への搬送が可能となる。
【００２３】
また、記録ユニット２の下方には、用紙Ｐを格納する給紙カセット６が設けられる。給紙カセット６に収容された用紙Ｐは、搬送ローラー等から構成される用紙搬送部によって記録ヘッド１０側への搬送が可能となる。
【００２４】
記録ヘッド１０によって記録された用紙Ｐは、搬送部によって搬送され、記録ヘッド１０の搬送方向下流側に設けられた排紙トレイ１９に排出される。排紙トレイ１９は、給紙カセット６の上方に配置される。排出された用紙Ｐは、排紙トレイ１９において堆積される。
【００２５】
また、記録装置１は、後処理ユニット３０を備える。後処理ユニット３０は、記録された用紙Ｐに対して後処理を行うものである。後処理としては、例えば、複数枚の用紙Ｐの束を一つに綴じる綴じ処理やクリップ処理、用紙Ｐにパンチ穴を穿孔する処理等が挙げられる。
なお、本実施形態では、後処理ユニット３０としてのステイプルユニット３０を例に挙げて説明する。ステイプルユニット３０は、装填された針を用いて複数枚の用紙Ｐを１つに綴じる処理機能を有する。ステイプルユニット３０は、後処理部本体としてのステイプル本体３１を有する。ステイプル本体３１は、略直方体を成す。ステイプル本体３１は、複数の針が装填されたカートリッジを備える。当該カートリッジはステイプル本体３１に着脱可能に構成される。針は、例えば、金属材で形成されたものである。また、ステイプル本体３１は、装填された針を用紙Ｐに対して打ち込んで綴じ処理を行う可動部等を備える。ステイプルユニット３０は、用紙Ｐを挿入可能な挿入部３３を有し、挿入部３３に挿入された用紙Ｐをセンサーで検知し、可動部が駆動して綴じ処理を行う。なお、ステイプルユニット３０は、挿入部３３に用紙Ｐが挿入された状態で、ユーザーがスイッチ等を操作することで綴じ処理を行う構成であってもよい。
【００２６】
記録装置１は、制御部６０を備える。制御部６０は、キャリッジ２７、記録ヘッド１０、搬送部、原稿読取装置１４、ステイプルユニット３０、操作パネル１５等を制御する。制御部６０は、ＣＰＵ（Central  Processing  Unit）、ＲＯＭ（Read  Only  Memory）やＲＡＭ（Random  Access  Memory）等のハードウェアを備える。制御部６０は、所定の制御プログラムをＣＰＵによって実行することにより、記録装置１を制御する。ＲＯＭは、不揮発性の記憶装置であり、ＣＰＵが実行する制御プログラム及び制御プログラムで処理されるデータを格納する。ＲＡＭは、ＣＰＵのワークエリアを構成する。ＣＰＵは、ＲＯＭ等から読み出した制御プログラムをＲＡＭに展開し、展開された制御プログラムを実行して、記録装置１を制御する。
【００２７】
次に、ステイプルユニット３０の構成について詳細に説明する。
ステイプルユニット３０は、筐体１１において、給紙カセット６が装着される面、排紙トレイ１９が装着される面、操作パネル１５が装着される面のいずれか面を正面として正面視した場合に、正面における筐体１１の隅角部ＣＰに設置される。ここで、正面視した場合とは、＋Ｙ方向から記録装置１を見た場合をいう。本実施形態の正面は、前方面１１ａである。本実施形態の隅角部ＣＰは、筐体１１の前方面１１ａと第１側面１１ｃとが交差する角部を指す。筐体１１の前方面１１ａと第１側面１１ｃとが交差する角部は、曲面を有する。ステイプルユニット３０は、前方面１１ａと前方面１１ａと第１側面１１ｃとが交差する上記角部の曲面に跨って配置される。すなわち、ステイプルユニット３０は、筐体１１において給紙カセット６、排紙トレイ１９及び操作パネル１５が装着される面としての前方面１１ａと同様の前方面１１ａの隅角部ＣＰに配置される。
【００２８】
ステイプルユニット３０は、用紙Ｐの一部を水平方向に挿入可能なスリット状の挿入部３３を有する。挿入部３３は、筐体１１に対して斜め方向に配置される。図３及び図４に示すように、挿入部３３の長手方向に沿って延在する仮想線Ｌ１の方向は、前方面１１ａ、或いは第１側面１１ｃに対して交差する方向である。すなわち、挿入部３３は前方面１１ａ、或いは第１側面１１ｃに対して斜めとなる方向に配置される。これにより、ステイプルユニット３０に対して用紙Ｐを挿入しやすくなり、ユーザーの利便性を向上させることができる。
【００２９】
また、図２に示すように、ステイプルユニット３０は、正面視した場合に、給紙カセット６の側方に並んで配置される。詳細には、＋Ｙ方向から前方面１１ａを見た場合、ステイプルユニット３０は、給紙カセット６の右側に配置される。これにより、給紙カセット６及びステイプルユニット３０の扱いが記録装置１において同一面としての前方面１１ａ側のみで行えるため、ユーザーの利便性を高めることができる。
【００３０】
また、給紙カセット６の上方に排紙トレイ１９が配置される。そして、正面視した場合に、ステイプルユニット３０は、排紙トレイ１９の側方に並んで配置される。これにより、排紙トレイ１９に堆積された用紙Ｐを容易にステイプルユニット３０に移行させることができ、ユーザーの利便性を高めることができる。また、ステイプルユニット３０は排紙トレイ１９とほぼ同じ高さに配置される。ここで、＋Ｙ方向から前方面１１ａを見た場合、排紙トレイ１９に対して右側方向の隅角部ＣＰに配置されることが好ましい。これにより、排紙トレイ１９に堆積された用紙Ｐを、さらに容易にステイプルユニット３０に移行させることができる。また、ステイプルユニット３０が筐体１１において配置される方向が、蓋部１６の給紙口１６ａに対して用紙Ｐを供給する方向の上流側となる−Ｘ方向と同じ方向であるため、原稿読取装置１４を扱う場合においてもユーザーの利便性を向上させることができる。
【００３１】
図４に示すように、排紙トレイ１９の先端部１９ａは、排紙トレイ１９が配置された筐体１１の第１面としての前方面１１ａから外方の＋Ｙ方向側に突出する。排紙トレイ１９の先端部１９ａは、記録装置１の外装における＋Ｙ方向側の最先端部である。また、第１側面１１ｃのＹ軸に沿った部分は、記録装置１の外装における−Ｘ方向側の最先端部である。そして、排紙トレイ１９を上方から見た場合における、排紙トレイ１９の先端部１９ａの前方面１１ａに沿った方向における第１仮想線Ｌ１１と、排紙トレイ１９を上方から見た場合における、筐体１１の前方面１１ａと交差し、排紙トレイ１９の右側方向の隅角部ＣＰを構成する筐体１１の第２面としての第１側面１１ｃに沿った第２仮想線Ｌ１２と、を結んだ線を外装寸法線とした場合、ステイプルユニット３０は、外装寸法線から外側にはみ出ないように配置される。すなわち、記録装置１を上方から見た場合において、ステイプルユニット３０は、第１仮想線Ｌ１１と、第２仮想線Ｌ１２と、筐体１１と、排紙トレイ１９と、で囲まれる領域に配置される。これにより、記録装置１の外装寸法の大型化を防止することができる。なお、第１仮想線Ｌ１１は、先端部１９ａからＸ軸に沿った仮想線である。第２仮想線Ｌ１２は、第１側面１１ｃの−Ｘ方向端部からＹ軸に沿った仮想線である。
【００３２】
図３及び図５に示すように、ステイプルユニット３０は、ステイプル本体３１に接続され、ステイプル本体３１の一部を覆うカバー３２と、カバー３２の上方に設けられ、カバー３２と軸部３５を介して設置された庇部３８と、を備える。カバー３２は、庇部３８に対して軸部３５を介して回動可能である。軸部３５は、カバー３２の＋Ｘ方向端部にＺ軸に沿って配置され、記録装置１を上方から見た場合、軸部３５を中心としてカバー３２が時計回転方向に回動することで、カバー３２に接続されたステイプル本体３１が開き状態となる。また、ステイプル本体３１が開き状態から、軸部３５を中心としてカバー３２を時計回転方向とは反対方向に回動することで、図３に示すように、ステイプル本体３１が閉じ状態となる。このように、ステイプル本体３１が開き状態と閉じ状態とに変位可能となり、ステイプル本体３１のメンテナンスを容易に行うことができる。具体的には、ステイプル本体３１が開き状態のとき、挿入部３３と反対側に開口４０が設けられる。当該開口４０を介してステイプル本体３１に対してカートリッジの装着を容易に行うことができる。また、ステイプル本体３１が開き状態のとき、開口４０は、−Ｘ方向及び−Ｙ方向を向く。すなわち、開口４０は、排紙トレイ１９側とは反対側を向く。このため、カートリッジの着脱において排紙トレイ１９との干渉が無く、容易に作業を行うことができる。
【００３３】
また、カバー３２には凸部３２ａが形成される。具体的には、図３に示すように、ステイプル本体３１が閉じ状態において、カバー３２の−Ｙ方向端部にリブ状の凸部３２ａが配置される。これにより、カバー３２の凸部３２ａに手指をかけることにより、カバー３２を容易に回動させることができる。
【００３４】
また、カバー３２の色が、庇部３８の色や筐体１１の色と異なるように配色してもよい。これにより、カバー３２の位置を容易に認識でき、カバー３２の回動動作を円滑に行うことができる。
【００３５】
次に、ステイプルユニット３０の綴じ処理等について説明する。
記録ユニット２によって記録された用紙Ｐに対して綴じ処理をする場合、排紙トレイ１９に排紙された用紙Ｐを束ね、束ねた用紙Ｐの一部を挿入部３３に挿入する。そして、所望の綴じ位置に用紙Ｐを合わせる。このとき、後処理ユニット３０は、排紙トレイ１９の側方の隅角部ＣＰに配置されるため、ユーザーは移動することなく、円滑に用紙Ｐの一部を挿入部３３に挿入することができる。カバー３２の上部の庇部３８に重なっていない部分には、綴じ位置を示す綴じ位置マーク３２ｂが設けられる。ユーザーは、綴じ位置マーク３２ｂを参考にして綴じ位置を設定する。用紙Ｐを綴じ位置に設定し、用紙Ｐがセンサーに触れると可動部が駆動し、針による綴じ処理が実行される。
【００３６】
また、操作パネル１５は、ステイプルユニット３０に装填された針の残数を表示する。制御部６０は、可動部に対する駆動信号に合わせて針の残数を演算し、演算された針の残数を操作パネル１５に表示させる。これにより、ユーザーは針の残数を容易に確認することができる。
【００３７】
次に、ステイプルユニット３０に針を供給する場合について説明する。
ステイプルユニット３０に針を供給する場合、カバー３２を時計回転方向に回動することでステイプル本体３１を閉じ状態から開き状態に変位させることができる。なお、本実施形態では、ステイプル本体３１は、筐体１１側にバネ等によって付勢される。これにより、ステイプル本体３１の閉じ状態が保持される。そこで、ステイプル本体３１を開き状態にするため、ステイプル本体３１に設けられるロックレバー３９を＋Ｙ方向に移動させる。これにより、バネの付勢力に対抗させることができ、カバー３２を時計回転方向に回動させることができる。なお、カバー３２を時計回転方向に回動する際は、凸部３２ａに手指をかけることで容易に回動させることができる。ステイプル本体３１が開き状態に変位されると、インターロックにより、記録装置１の駆動の停止が維持される。
【００３８】
そして、開口４０を介してステイプル本体３１からカートリッジを取り外す。次いで、カートリッジに針を装填し、開口４０を介してステイプル本体３１にカートリッジを装着する。次いで、カバー３２を時計回転方向とは反対側に回動してステイプル本体３１を閉じ状態に変位させる。すると、バネ力によってステイプル本体３１が筐体１１に保持され、記録装置１の駆動が可能となる。
【００３９】
以上、本実施形態によれば、以下の効果を得ることができる。
【００４０】
ステイプルユニット３０が、ユーザーが向かって正面となる筐体１１の前方面１１ａの隅角部ＣＰに設置されるため、ユーザーは移動することなく用紙Ｐに対してステイプル処理が実行される位置を容易に確認でき、利便性を向上させることができる。
また、例えば、同じ外形サイズの筐体１１の第１側面１１ｃにステイプルユニット３０を設置した場合に比べて記録装置１の外装寸法の小型化が図れる。さらに、筐体１１の第１側面１１ｃにステイプルユニット３０を設置した場合には、筐体１１の第１側面１１ｃのステイプルユニット３０の周囲にステイプル処理を行うために用紙Ｐを配置する作業スペースが必要となるが、本実施形態によれば、記録装置１の第１側面１１ｃ側に作業スペースが不要となり、省スペース化が図られる。
【００４１】
２．第２実施形態
次に、第２実施形態について説明する。図６は、記録装置１Ａの構成を示す正面図である。なお、第１実施形態と同一の構成については、同一の符号を使用し、重複する説明は省略する。
【００４２】
記録装置１Ａは、記録ユニット２と、筐体１１と、複数の後処理ユニット３０，３０ａを備える。後処理ユニット３０は、例えば、ステイプルユニット３０であり、他の後処理ユニット３０ａは、用紙Ｐにパンチ穴を穿孔するパンチユニット３０ａである。
ここで、図６に示すように、ステイプルユニット３０及びパンチユニット３０ａは、筐体１１の隅角部ＣＰに設置される。実施形態では、ステイプルユニット３０は、筐体１１の前方面１１ａと第１側面１１ｃとが交差する角部に配置される。また、パンチユニット３０ａは、筐体１１の前方面１１ａと第１側面１１ｃとが交差する角部であって、ステイプルユニット３０の上方に配置される。
これにより、二種類の後処理が可能となり、ユーザーの利便性を向上させることができる。なお、ステイプルユニット３０の下方にパンチユニット３０ａが配置された構成でもよい。
【００４３】
３．第３実施形態
次に、第３実施形態について説明する。図７は、記録装置１Ｂの構成を示す正面図である。なお、第１実施形態と同一の構成については、同一の符号を使用し、重複する説明は省略する。
【００４４】
記録装置１Ｂは、記録ユニット２と、筐体１１と、複数の後処理ユニット３０，３０ｂを備える。後処理ユニット３０は、例えば、ステイプルユニット３０であり、他の後処理ユニット３０ｂは、用紙Ｐにパンチ穴を穿孔するパンチユニット３０ｂである。
ここで、図７に示すように、ステイプルユニット３０及びパンチユニット３０ｂは、筐体１１の隅角部ＣＰ１，ＣＰ２に設置される。実施形態では、ステイプルユニット３０は、筐体１１の前方面１１ａと第１側面１１ｃとが交差する隅角部ＣＰ１に配置される。また、パンチユニット３０ｂは、筐体１１の前方面１１ａと第２側面１１ｄとが交差する隅角部ＣＰ２に配置される。すなわち、ステイプルユニット３０とパンチユニット３０ｂとが互いに筐体１１の異なる隅角部ＣＰ１，ＣＰ２に配置される。
このようにしても、二種類の後処理が可能となり、ユーザーの利便性を向上させることができる。なお、ステイプルユニット３０の配置位置とパンチユニット３０ｂの配置位置とが逆であってもよい。
【００４５】
４．変形例
以下、変形例について説明する。
【００４６】
・変形例１
第１実施形態では、後処理ユニット３０として針を用いたステイプルユニット３０を例に挙げて説明したが、これに限定されない。
後処理ユニット３０として、例えば、針を用いないステイプルユニットでもよいし、クリップ処理を行う後処理ユニットでもよいし、パンチ穴を穿孔するパンチユニットであってもよい。このようにしても、上記同様の効果を得ることができる。
【００４７】
・変形例２
第１実施形態では、ステイプルユニット３０は、筐体１１に固定された形態であったが、これに限定されない。例えば、ステイプルユニット３０が筐体１１に対して着脱可能な構成であってもよい。この場合、ステイプルユニット３０と記録装置１本体とをドロワーコネクター等で電気的に接続させる。また、複数種類の後処理ユニットの中からユーザーの使用状態に合わせて着脱可能な構成としてもよい。このようにすれば、ユーザーの利便性をさらに向上させることができる。
【００４８】
上記実施形態では、筐体１１において、給紙カセット６が装着される面と、排紙トレイ１９が装着される面と、操作パネル１５が装着される面と、が同一の前方面１１ａである場合について説明したが、これに限定されない。例えば、給紙カセット６が装着される面のみが前方面１１ａであり、排紙トレイ１９が装着される面及び操作パネル１５が装着される面が前方面１１ａ以外の面であってもよい。また、排紙トレイ１９が装着される面のみが前方面１１ａであり、給紙カセット６が装着される面及び操作パネル１５が装着される面が前方面１１ａ以外の面であってもよい。また、操作パネル１５が装着される面のみが前方面１１ａであり、給紙カセット６が装着される面及び排紙トレイ１９が装着される面が前方面１１ａ以外の面であってもよい。さらに、上記以外の組み合わせであってもよい。
【００４９】
以下に、実施形態から導き出される内容を記載する。
【００５０】
記録装置は、用紙に記録を行う記録部と、前記記録部に供給する前記用紙を格納する給紙カセットと、排紙された前記用紙を堆積可能な排紙トレイと、各種設定が可能な操作パネルと、前記記録部を収容する筐体と、記録された前記用紙に対して後処理を行う後処理部本体を有する後処理ユニットと、を備え、前記筐体において、前記給紙カセットが装着される面、前記排紙トレイが装着される面、前記操作パネルが装着される面のいずれか面を正面として正面視した場合に、前記後処理ユニットは、前記正面における前記筐体の隅角部に設置されることを特徴とする。
【００５１】
この構成によれば、後処理ユニットが筐体の正面の隅角部に設置されるため、ユーザーは移動することなく用紙に対して後処理が実行される位置を容易に確認でき、利便性を向上させることができる。なお、後処理ユニットにおける後処理とは、例えば、複数枚の用紙を綴じる処理や用紙にパンチ穴を穿孔する処理等である。
また、例えば、同じ外形サイズの筐体の側面に後処理ユニットを設置した場合に比べて記録装置の外装寸法の小型化が図れる。さらに、筐体の側面に後処理ユニットを設置した場合には、筐体の側面の後処理ユニットの周囲に後処理を行うために用紙を配置する作業スペースが必要となるが、上記構成によれば、記録装置の側面側に作業スペースが不要となり、省スペース化が図れる。
【００５２】
上記記録装置の前記後処理ユニットは、前記用紙の一部を挿入可能なスリット状の挿入部を有し、前記挿入部は、前記筐体に対して斜め方向に配置されることが好ましい。
【００５３】
この構成によれば、後処理がし易くなり、利便性をさらに向上させることができる。
【００５４】
上記記録装置は、正面視した場合に、前記後処理ユニットは、前記給紙カセットの側方に並んで配置されることが好ましい。
【００５５】
この構成によれば、給紙カセット及び後処理ユニットの扱いが記録装置において同一面側で行えるため、ユーザーの利便性を高めることができる。
【００５６】
上記記録装置は、正面視した場合に、前記後処理ユニットは、前記排紙トレイの側方に並んで配置されることが好ましい。
【００５７】
この構成によれば、排紙トレイに堆積された用紙を容易に後処理ユニットに移行させることができ、ユーザーの利便性を高めることができる。
【００５８】
上記記録装置では、正面視した場合に、前記後処理ユニットは、前記排紙トレイに対して右側方向の前記隅角部に設置されることが好ましい。
【００５９】
この構成によれば、排紙トレイに堆積された用紙をさらに容易に後処理ユニットに移行させることができ、ユーザーの利便性を高めることができる。
【００６０】
上記記録装置では、前記排紙トレイの先端部は、前記排紙トレイが配置された前記筐体の第１面から外方に突出しており、前記排紙トレイを上方から見た場合における、前記排紙トレイの前記先端部の前記第１面に沿った方向における第１仮想線と、前記排紙トレイを前記上方から見た場合における、前記筐体の前記第１面と交差し、前記排紙トレイの前記右側方向の前記隅角部を構成する前記筐体の第２面に沿った第２仮想線と、を結んだ線を外装寸法線とした場合、前記後処理ユニットは、前記外装寸法線から外側にはみ出さないように配置されることが好ましい。
【００６１】
この構成によれば、後処理ユニットは筐体から外側に向けて大きく突出しないため、記録装置の外装寸法の大型化を防止することができる。
【００６２】
上記記録装置の前記後処理ユニットは、前記後処理部本体に接続され、前記後処理部本体を覆うカバーと、前記カバーの上方に設けられ、前記カバーと軸部を介して設置された庇部と、を備え、前記カバーは、前記庇部に対して前記軸部を介して回動可能であることが好ましい。
【００６３】
この構成によれば、カバーの回転に伴い後処理部本体も回動する。これにより、後処理部本体のメンテナンスを容易に行うことができる。
【００６４】
上記記録装置では、前記カバーの色と前記庇部の色とが異なることが好ましい。
【００６５】
この構成によれば、カバーの位置を容易に認識でき、カバーの回動動作を円滑に行うことができる。
【００６６】
上記記録装置では、前記カバーに凸部が形成されたことが好ましい。
【００６７】
この構成によれば、カバーの凸部に手指をかけることにより、カバーを容易に回動させることができる。
【００６８】
上記記録装置は、前記後処理ユニットは、装填された針を用いて前記用紙を綴じる処理機能を有するステイプルユニットであり、前記操作パネルは、前記ステイプルユニットに装填された前記針の残数を表示することが好ましい。
【００６９】
この構成によれば、針の残数を容易に確認することができる。
【符号の説明】
【００７０】
１，１Ａ，１Ｂ…記録装置、２…記録ユニット、３…液体格納ユニット、５…操作部、６…給紙カセット、１０…記録ヘッド、１１…筐体、１１ａ…前方面、１１ｂ…後方面、１１ｃ…第１側面、１１ｄ…第２側面、１５…操作パネル、１６…蓋部、１６ａ…給紙口、１９…排紙トレイ、１９ａ…先端部、２７…キャリッジ、３０…ステイプルユニット、３０ａ，３０ｂ…パンチユニット、３１…ステイプル本体、３２…カバー、３２ａ…凸部、３２ｂ…綴じ位置マーク、３３…挿入部、３５…軸部、３８…庇部、３９…ロックレバー、４０…開口、６０…制御部、Ｌ１…仮想線、Ｌ１１…第１仮想線、Ｌ１２…第２仮想線。
【図１】
2020192762.tif 000003
【図２】
2020192762.tif 000004
【図３】
2020192762.tif 000005
【図４】
2020192762.tif 000006
【図５】
2020192762.tif 000007
【図６】
2020192762.tif 000008
【図７】
2020192762.tif 000009